(57)【特許請求の範囲】
【請求項１】
装身具の一部をなす線条に通され、前記装身具の一部とされる装飾体の内部に設けられ、前記線条を把持しこれにより前記装飾体を前記線条上に留め置き、また、前記線条を把持した状態での該線条に対する前記装飾体の相対移動を許す装身具の線条把持機構であって、
前記装飾体は、前記線条把持機構が圧入される周壁に囲まれた貫通孔を有し、また、
前記線条把持機構は、前記線条の挿通を許しかつ前記線条にバネ力を及ぼして前記線条を協働把持するための一対のバネ部材とからなり、
前記バネ部材の各々は、前記貫通孔の長さ方向に沿って一端部と他端部とを有し、前記一端部と他端部が前記周壁に着地した状態で前記線条に向かって突出して相手方のバネ部材との間でバネ力により前記線条を挟持するように構成してあることを特徴とし、
前記一対のバネ部材は互いに相対するように束ねられた一対の板ばねとからなり、
該両板ばねは、それぞれ、一片部と、前記一片部の一端に連なる他片部とを有し、
前記一片部は、前記装飾体の貫通孔に沿って伸び、
前記他片部は、前記装飾体の貫通孔と同軸の開口を有し、
両一片部の他端がそれぞれ両他片部の開口に通され、
前記一対の板ばねの他片部のうち、一方が前記一端部として他方が前記他端部としてそれぞれ機能する装身具の線条把持機構。
【発明の詳細な説明】
【技術分野】
【０００１】
本発明は、線条に留め置きされた装飾体を有する装身具の線条把持機構と、そのような線条把持機構を有する装飾体および装身具に関する。
【背景技術】
【０００２】
従来、たとえば、ネックレスやブレスレットのような装身具は通しひものような線条とこれに通される複数の装飾体（たとえば、真珠）とからなるところ、前記線条に対する装飾体の位置決めを可能とすべく、前記装飾体に線条の把持及びその解除を可能とする把持機構を設けることが提案されている（後記特許文献１参照）。
【０００３】
この把持機構は、前記線条の挿通を許す互いに螺合により連結された雄型スリーブ及び雌型スリーブと、両スリーブ内を伸びる線条に対して弾力を及ぼし、これにより線条を両スリーブに把持するための弾性体とを備える。前記弾性体は硬質ゴムのような弾性材料で形成されたブロック体からなり、前記雌型スリーブ内に配置されている。雌型スリーブ内のブロック体は、雌型スリーブに対する雄型スリーブのねじ締め操作に伴う雄型スリーブの押圧力を受けて弾性変形をし、また、ねじを緩める操作に伴って、元の形状に弾性復帰する。
【０００４】
この把持機構にあっては、両スリーブ内を伸びる線条は、弾性変形をしたブロック体により前記雌型スリーブの内壁面に押し付けられ、これらに把持される。これにより、前記装飾体が線条上に留め置かれる。また、前記ブロック体を弾性復帰させることにより装飾体の線条に対する留め置きが解除され、この解除状態下で装飾体を線条に沿って移動させることができる。
【０００５】
ところで、前記線条上における装飾体の留め位置は、装飾体相互の距離的関係又はバランスを考慮して感覚的に定められるため、通常、前記装飾体の留め位置の決定には数度にわたる微調整を伴う。前記従来の装身具にあっては、装飾体の位置決めが、前記したように、雌型スリーブに対する雄型スリーブのねじ締め操作及び緩めの操作を必要とされ、これらの操作の反復は比較的煩雑であるという難点がある。
【先行技術文献】
【特許文献】
【０００６】
【特許文献１】特開２０００−１９７５１０（図６）
【発明の概要】
【発明が解決しようとする課題】
【０００７】
したがって、本発明の目的は、装身具を構成する装飾体と線条との相対的な位置決めを容易にする装身具の線条把持機構を提供することにある。
【課題を解決するための手段】
【０００８】（請求項１に記載の発明の特徴）
請求項１に記載の発明は、装身具の線条把持機構に関するものであって、装身具の一部をなす線条に通され、前記装身具の一部とされる装飾体の内部に設けられ、前記線条を把持しこれにより前記装飾体を前記線条上に留め置き、また、前記線条を把持した状態での該線条に対する前記装飾体の相対移動を許す装身具の線条把持機構であって、前記装飾体は、前記線条把持機構が圧入される周壁に囲まれた貫通孔を有し、また、前記線条把持機構は、前記線条の挿通を許しかつ前記線条にバネ力を及ぼして前記線条を協働把持するための一対のバネ部材とからなり、前記バネ部材の各々は、前記貫通孔の長さ方向に沿って一端部と他端部とを有し、前記一端部と他端部が前記周壁に着地した状態で前記線条に向かって突出して相手方のバネ部材との間でバネ力により前記線条を挟持するように構成してあることを特徴とし、前記一対のバネ部材は互いに相対するように束ねられた一対の板ばねとからなり、該両板ばねは、それぞれ、一片部と、前記一片部の一端に連なる他片部とを有し、前記一片部は、前記装飾体の貫通孔に沿って伸び、前記他片部は、前記装飾体の貫通孔と同軸の開口を有し、両一片部の他端がそれぞれ両他片部の開口に通され、前記一対の板ばねの他片部のうち、一方が前記一端部として他方が前記他端部として、それぞれ機能する。「装飾体」とは、「線条」に通される前記装身具の構成要素をいい、その形状の如何を問わない。【０００９】  請求項１に記載の発明によれば、装身具の線条に通される装飾体に設けられた線条把持機構は、周壁を起点にした一対のバネ部材の協働に係る前記線条の把持（挟持）による前記装飾体の線条上への留め置きと、前記線条を把持した状態での該線条に対する前記装飾体の相対移動とを可能とすることから、前記線条に対する装飾体の留め位置の決定、変更、微調整等は前記装飾体の前記線条に沿った移動と、該移動の停止とにより容易にまた短時間で行うことができる。バネ部材各々は、線条に向かって突出しているので、両者間の距離は線条不在のときに最も近いか、若しくはゼロ（接触した）の状態にある。バネ部材の一端部と他端部のそれぞれが貫通孔周壁に着地しているため、足下が安定した状態の中でしっかりと踏ん張りが効き、その結果、両着地点間の部位（線条に向かって突出する部位）はそのバネ力を確実に線条に伝えることができる。一方、上記突出する部位と貫通孔周壁との間にある隙間（当該部位は貫通孔周壁に着地していない）は、線条が相対移動するときのバネ部材の変形を許すための逃げ空間として機能する。線条が相対移動するときのバネ部材は変形し、この変形は逃げ空間の存在によって許容される。相対移動が停止した時バネ部材は、弾性復帰して線条を挟持する。このような線条に対するバネ力の作用と相対移動の際の変形許容によって、線条に対する装飾体の留め置きと容易かつ短時間の中での相対移動を可能とする。【００１３】また請求項１に記載の発明によれば、一対のバネ部材を構成する両板ばねによる線条に対するバネ力の付与をもって、前記線条の把持及び該把持を維持した状態での前記装飾体の相対移動を可能とすることができる。具体的には、前記線条が両一片部間にこれらを押しのけるようにして通され���各一片部から弾性復元力を受けて把持される。そして、この弾性復元力は、一端部を構成する一方の他片部と他端部を構成する他方の他片部が貫通孔周壁に着地させることによって得ることができる。
【発明の効果】
【００１８】
本発明によれば、装身具を構成する一部同士の相対的な位置決めを容易に行うことができる。
【図面の簡単な説明】
【００１９】
【図１】本発明に係る装飾体を構成要素とするネックレスの概略的な正面図である。
【図２】本実施形態に係る線条把持機構の斜視図である。
【図３】図２に示す線条把持機構が圧入された装飾体の縦断面図である。
【図４】図２に示す線条把持機構の変形例を示す斜視図である。
【図５】図２に示す線条把持機構の変形例を示す斜視図である。
【図６】図５に示す線条把持機構が圧入された装飾体の縦断面図である。
【図７】線条把持機構が圧入された第２の実施形態に係る装飾体の縦断面図である。
【図８】図７に示す線条把持機構の斜視図である。
【図９】図８に示す線条把持機構の構成要素となる一方のばね部材の斜視図である。
【図１０】図７に示す装飾体とは異なる装飾体の縦断面図である。
【発明を実施するための形態】
【００２０】
図１を参照すると、装身具の１つであるネックレス１が示されている。図示のネックレス１は線条３と、該線条に通されかつ互いに間隔をおいて配置された、複数の本発明に係る装飾体５と、線条３の両端を連結するクラスプ７とからなる。複数の装飾体５は、それぞれ、装飾体５の内部に設けられた線条把持機構９を介して線条３上に留め置かれている。
【００２１】
線条３は、プラスチック材料や金属材料で形成されたワイヤー、任意の材料で形成されたひも、チェーン等からなる。
【００２２】  装飾体５は真珠のような宝石、貴金属製の造形物、ビーズ等からなり、装飾体５の形状は、これが発揮する装飾効果を考慮して、任意に選択される。一例として図１に示す装飾体５は球形状を呈しているが、球形状以外の形状（たとえば、立方形状、円柱形状、さらにこれらに限らず不規則な形状）を呈していてもよい。装飾体５には、線条３が通される貫通孔１１（図３）が設けられている。貫通孔１１の周囲は、周壁１２に囲まれている。
【００２３】
（第１の実施形態）
図２を参照すると、線条把持機構９は装飾体５の貫通孔１１内に配置され、後述する着地作用により装飾体５に固定されている。線条把持機構９は、装飾体５の貫通孔１１に通された線条３に把持力を及ぼす。この把持力は、線条把持機構９を含む装飾体５の自重に抗して装飾体５を線条３上に留め置くことを可能とし、また、線条３上に留め置かれた装飾体５に例えば指の力を及ぼすことにより線条３に沿っての装飾体５の移動を可能とする大きさに設定されている。したがって、装飾体５に指の力を加える操作のみによって線条３に沿って装飾体５を滑らせ、また、指の力を抜く操作のみによって装飾体５を線条３上の任意の位置に装飾体５を留め置くことができる。これらの操作は誰でもが簡単に行うことができるものであり、また、これらの簡単な操作により、又はその繰り返しにより装飾体５の留め位置の変更又は微調整を容易にまた短時間で行うことができる。
【００２４】
図２に示す線条把持機構９は、貫通孔１１内に圧入配置された一対のバネ部材１５によって構成してある。バネ部材１５の各々は、貫通孔１１の長さ方向に沿って一端部３１と他端部３３とを有し、一端部３１と他端部３３が周壁１２に着地した状態で両者間の部位（突出部位３２）が線条３に向かって突出し、対となっている相手方のバネ部材１５との間でバネ力により線条３を挟持するように構成してある。一対のバネ部材１５，１５（線条把持機構９）は、一端部３１と他端部３３の周壁１２に対する着地作用により、貫通孔１１内に固定されるようにしてある。
【００２５】図２及び図３を参照しながら、バネ部材１５についてより詳細に説明する。プラスチックの材料、ばね鋼等で形成してあるバネ部材１５は、貫通孔１１の軸線方向に伸びる円筒状の本体２１と、本体２１から伸びる２対の湾曲片部２３，２５とを有する。一対の湾曲片部２３と他の一対の湾曲片部２５とは、それぞれ、本体２１に形成された２つの切り込み２７，２９によって部分的に割られた本体２１の一部を湾曲させてなる。
【００２６】  バネ部材１５の本体２１に形成された両切り込み２７，２９は、それぞれ、本体２１の軸線Ｌ（図２参照）を含みかつ互いに直交する２つの平面（図示せず）内にあって、一方の切り込み２７は本体２１の一端部３１からその他端部３３に向けて伸びかつ他端部３３に至る前で終わり、また、他方の切り込み２９は本体２１の他端部３３からその一端部３１に向けて伸びかつ一端部３１に至る前で終わる。一方の両湾曲片部２３は一方の切り込み２７を境にして本体２１の半径方向外方へ互いに反対に湾曲して反り返り、また、他方の両湾曲片部２５は他方の切り込み２９を境にして本体２１の半径方向外方へ互いに反対に湾曲して反り返っている。反り返った部位が、先に述べた突出部位３２となる。なお、切り込み２７、２９は、本体２１の材質にもよるが、たとえば、それが金属製であるなら、レーザーカットにより行うと効率よく行うことができる。また、バネ部材１５が合成樹脂製なのであれば、全体を射出成形によって製造してもよい。
【００２７】
バネ部材１５の貫通孔１１内への配置は、例えば、一方の両湾曲片部２３にその周囲から外力を加えて両湾曲片部２３が互いに他の一方に向けて近づき、全体に円筒状を呈するように弾性変形させたのち、これらを貫通孔１１の他端１９から貫通孔１１内に押し込む（圧入する）ことにより、行うことができる。
【００２８】  貫通孔１１内に配置されたバネ部材１５の各湾曲片部２３，２５は、これらの先端において、広がる方向に働く弾性復元力によって貫通孔１１の周壁１２に押圧着地し、また、本体２１の中間位置（突出部位３２）において線条３の外径より小さい管状の隙間３５を規定する（図３）。各湾曲片部２３，２５の開放先端及び湾曲形状は、線条３の先端の受け入れ及び管状の隙間３５への案内作用をなす。また、両湾曲片部２３，２５は管状の隙間３５において隙間３５を通る線条３に対して前記バネ力すなわち前記把持力を及ぼす。線条３は、これが比較的剛性の高いワイヤーからなるものである場合には、線条３自体を管状の隙間３５に強制的に推し進めることにより、また、比較的剛性が低い糸やひも、チェーンからなるものである場合には例えばこれを針やピンにつなぎ、該針やピンの先導をもとに隙間３５に通すことができる。隙間３５を通る線条３は、隙間３５を規定する２対の湾曲片部２３，２５に隙間３５の径が拡大されるように弾性変形を生じさせる。他方、２対の湾曲片部２３，２５は、これらの弾性変形と同時に、線条３に対してその周囲からバネ力である弾性復帰力、すなわち把持力を及ぼす。なお、図３に示す符号１４は、貫通孔１１の両端を塞いで内部を隠すとともに、貫通孔１１内にある線条把持機構９（バネ部材１５）が抜け出ないようにするためのキャップを示す。キャップ１４には、貫通孔１１と同軸の小径孔１４ｈを形成してある。小径孔１４ｈは、線条３の通過を許すがバネ部材１５の通過を阻止する大きさに形成してある。キャップ１４は、これを装飾体５に接着剤等により固定しておくことが、バネ部材１５の抜け止めのために好ましい。キャップ１４は、周壁１２への着地によってバネ部材１５の抜けが防げるのであれば、これを省略することもできる。
【００２９】
バネ部材１５が有する前記湾曲片部の数量は、これを２対とする図２に示す例に代えて、図４に示すように４対とすることができる。図４に示すバネ部材１５Ａにあっては、２つの切り込み２７，２９に加えてさらにこれらの切り込みと同様の２つの切り込み３７，３９がその本体２１Ａに形成されている。新たに加えられた両切り込み３７，３９は、本体２１Ａの軸線ＬＡを含む２つの直交する平面内（図示せず）にあって、それぞれ、図２に示す湾曲片部２３，２５を２つに等分割する。その結果、本体２１Ａはその両端３１Ａ，３３Ａにおいて４つに等分割され、本体２１Ａの一端部３１Ａの側には２対の湾曲片部４１，４３が生じ、その他端３３の側には２対の湾曲片部４５，４７が生じる。これらの湾曲片部４１〜４７は、図２に示す湾曲片部２３，２５が規定する隙間３５と同様の管状の隙間３５Ａ（図４に破線の引き出し線で示す））を規定し、隙間３５Ａを通る線条３に対してバネ力である弾性復帰力を付与する。
【００３０】  次に、図５及び図６を参照すると、線条把持機構９の他の例となる線条把持機構９Ｂが示されている。線条把持機構９Ｂは、次に述べるストッパー２３ａ，２５ａを備える点で、それを備えない線条把持機構９（図２及び図３）と異なっている。したがって、ここでは、重複を避けるために両者が異なる点について述べる。なお、両者が共通する部材については、図２及び図３使用した符号を図５及び図６にも使用した。
【００３１】  線条把持機構９Ｂの湾曲片部２３，２５のそれぞれには、上述したストッパー２３ａ，２５ａを形成してある。ストッパー２３ａ（ストッパー２５ａ）は、湾曲片部２３（湾曲片部２５）の開放端に本体２１の軸線方向とほぼ並行に２本の短尺スリット２３ｓ（短尺スリット２５ｓ）を形成し、両スリット２３ｓ（両スリット２５ｓ）に挟まれた部分を湾曲片部２３（湾曲片部２５）を根元から僅かに外方向に屈曲させた矩形部位のことをいう。ストッパー２３ａ（ストッパー２５ａ）は、図６に示すように、一端部３１と他端部３３の周壁１２への着地とともに周壁１２に食い込んで着地を補助するとともに貫通孔１１からバネ部材１５が抜け出るのを防止する役目を担っている。周壁１２への食い込みは、バネ部材１５（湾曲片部２３，２５）の復元力によって主として行われる。バネ部材１５を貫通孔１１内に圧入後に、適当な道具を用いて湾曲片部２３，２５を周壁１２に押し付けることによりストッパー２３ａ（ストッパー２５ａ）を周壁１２に食い込ませてもよい。ストッパー２３ａ（ストッパー２５ａ）の食い込みが浅いために一端部３１もしくは他端部３３の何れか一方もしくは双方が周壁１２に着地しきれない場合も想定されるが、その場合は、ストッパー２３ａ（ストッパー２５ａ）が一端部３１もしくは他端部３３の代わりに果たすことになる。なお、ストッパー２３ａ（ストッパー２５ａ）は、矩形に形成したが、食い込み易いように周壁に向かって先細りする三角形状（図示を省略）、その他の形状であっても構わない。
【００３２】（第２の実施形態）
次に、図７を参照する。図７には、非球形の一例としての筒形の装飾体５が示され、また、装飾体５が有する貫通孔１１に配置された線条把持機構９を構成する他の例に係るバネ部材１５が示されている。筒型の装飾体５の表面（外周面）には装飾を目的とする凹凸模様９９が施されている。また、バネ部材１５については、その形状把握の便宜のため、図８及び図９にその全体及び一部の斜視図が示されている。
【００３３】
バネ部材１５は互いに相対するように束ねられた一対の板ばね１０１からなる。各板ばね１０１は全体にＬ形をなし、両板ばね１０１は、装飾体５の貫通孔１１に沿って伸びかつ互いに他の一方に向けて湾曲する一対の一片部１０３と、該一片部の一端部分１０４に連なる一対の他片部１０５とを有する。他片部１０５は、線条３の挿通を許す開口１０７を有するとともに、その外周の一片部１０３と対向する位置に突出するストッパー片１０６を備えている。両他片部１０５は、バネ部材１５が貫通孔１１内に配置されるとき、貫通孔１１に直交しかつ該貫通孔を規定する装飾体５の壁面（内周面）に接し、両他片部１０５の開口１０７が貫通孔１１と同軸の関係におかれる。図７に２点鎖線で示すように、他片部１０５が一片部１０３との間で作る角度は、配置前に置いて鈍角にしておくこともできる。鈍角のほうが貫通孔１１内に配置しやすいからである。そして配置後に、図７に実線で示すように一片部１０３との間が鋭角となる位置まで曲げ入れるようにして周壁１２に当接させるようにすると、ストッパー片１０６が周壁１２にしっかりと着地するので、バネ部材１５の抜けを有効に防止することができる。
【００３４】
他方、互いに他の一方に向けて湾曲する両板ばね１０１の一片部１０３は、これらの間に通される線条３の径より小さい間隔を有する隙間３５を規定する。図７に示す例では、両一片部１０３にこれらの伸長方向すなわち装飾体５の貫通孔１１の軸線方向へ伸びかつ両一片部１０３の互いに相対する面に開放しかつ互いに相対する２条の溝１０９が形成されている。この例では、両一片部１０３がこれらのほぼ中央部において互いに当接し、両一片部１０３の２つの溝１０９により隙間３５が構成されている。もちろん、溝１０９を形成することなしに両一片部１０３間に隙間３５を設けることも可能であるが、両溝１０９からなる隙間３５として該隙間に線条３を通すことにより、両一片部１０３の幅方向に線条３が偏倚することを防止することができる。線条３は、他片部１０５の開口１０７を通して両一片部１０３間の隙間３５に挿通され、この挿通により生じる両一片部１０３の弾性変形に伴う両一片部１０３の弾性復帰力であるバネ力を受ける。
【００３５】
図７において、符号１１１は、両板ばね１０１をこれらの一片部１０３のほぼ中央部で取り巻き、両板ばね１０１を束ねた状態に維持するためのゴム製の一対のリングを示す。また、符号１１３は、束ねられた状態にある両板ばね１０１がこれらの幅方向にずれないようにするために、両一片部１０３に設けられ両一片部１０３をこれらの側方において拘束する拘束片を示す。さらに、両板ばね１０１の一片部１０３が、これらの他端部分１１５において、他片部１０５の開口１０７に挿入されており、これによっても、また、両板ばね１０１を束ねた状態が維持されている。なお、リング１１１は、あくまでも補助的なものであるから、不要であると判断するなら省略してもよい。
【００３６】
図１０が示す符号５´は、他の形状を備えた装飾体を示している。すなわち、先に説明した装飾体５は筒型であるが、図１０が示すように球形に形成することもできる。さらに、図示は省略するが、他の幾何学的形状や不規則な形状であっても、それらの中に周壁に囲まれた貫通孔を備え、その中に線条把持機構を設置可能であるなら、外観形状に何ら制限はない。たとえば、星や水玉の形をした飾り小片（図示せず）を装飾的に施したり、逆に装飾体表面に刻印や彫り模様などを形成することもできる。
【符号の説明】
【００３７】１  ネックレス
３  線条
５  装飾体
９  線条把持機構
１１  貫通孔
１２  周壁
１５  バネ部材
２３，２５，４１，４３，４５，４７＿  湾曲片部
２７，２９，３７，３９＿  切り込み
３５＿  隙間＿
１０３，１０５  一片部及び他片部
１０６  ストッパー片
【図１】
0005835686.tif 000002
【図２】
0005835686.tif 000003
【図３】
0005835686.tif 000004
【図４】
0005835686.tif 000005
【図５】
0005835686.tif 000006
【図６】
0005835686.tif 000007
【図７】
0005835686.tif 000008
【図８】
0005835686.tif 000009
【図９】
0005835686.tif 000010
【図１０】
0005835686.tif 000011